(57)【要約】【課題】描画用のパラメータの設定を容易にする。【解決手段】ディスプレイと重畳関係にて配置されているとともに、ディスプレイの画像表示領域に対応した指示体操作検出領域を有することで指示体の操作を検出するセンサと、指示体による描画操作に基づいて生成される描画情報を記憶するメモリと、メモリに記憶された描画情報に基づいてディスプレイの画像表示領域に描画を行う制御回路を備えた描画装置である。制御回路は、センサによって指示体による所定の指示操作が検出されたことに対応して、指示体による描画操作が可能な試し書き領域と、試し書き領域での指示体による描画操作によって生成される描画情報に対するパラメータを変更するパラメータ設定領域とを、描画画像に重畳して表示させると共に、試し書き領域を描画画像に対して透過性を有して表示させる。【選択図】図１
2015038718.tif 000002
【特許請求の範囲】
【請求項１】
所定の画像表示領域を有するディスプレイと、前記ディスプレイの前記画像表示領域と所定の重畳関係にて配置されているとともに前記ディスプレイの前記画像表示領域に対応した指示体操作検出領域を有することで指示体の操作を検出するセンサと、前記センサによって検出された指示体による描画操作に基づいて生成される描画情報を記憶するメモリと、前記メモリに記憶された描画情報に基づいて前記ディスプレイの前記画像表示領域に描画を行う制御回路を備えた描画装置であって、
前記制御回路は、前記センサによって前記指示体による所定の指示操作が検出されたことに対応して、前記指示体による前記描画操作が可能な試し書き領域と、前記試し書き領域での前記指示体による前記描画操作によって生成される描画情報に対するパラメータを変更するパラメータ設定領域とを、前記ディスプレイの前記画像表示領域での描画に重畳して表示させるとともに、
前記ディスプレイの前記画像表示領域に、前記試し書き領域を、視認可能に表示させると共に、前記ディスプレイの前記画像表示領域での前記描画に対して透過性を有して表示させるようにした
ことを特徴とする描画装置。
【請求項２】
前記試し書き領域は、前記試し書き領域の周部が前記透過性に対して低い透過性を備えるように前記制御回路によって制御されることで、透過性を有するとともに視認可能に、前記ディスプレイの前記画像表示領域に重畳されて表示されることを特徴とする請求項１に記載の描画装置。
【請求項３】
前記試し書き領域は、前記試し書き領域の前記周部が枠状に前記低い透過性を備えるように前記制御回路によって制御されることで、透過性を有するとともに視認可能に、前記ディスプレイの前記画像表示領域に重畳されて表示されることを特徴とする請求項２に記載の描画装置。
【請求項４】
前記試し書き領域での前記指示体による前記描画操作によって生成され前記ディスプレイの前記画像表示領域での描画に重畳して表示される描画情報は、前記パラメータ設定領域でのパラメータの変更が反映されるように前記制御回路によって制御されることを特徴とする請求項１に記載の描画装置。
【請求項５】
前記パラメータ設定領域で変更可能なパラメータは、線の太さ、色相、および輝度の中の少なくとも１つであることを特徴とする請求項４に記載の描画装置。
【請求項６】
前記制御回路による制御によって、前記試し書き領域を介して表示される前記ディスプレイの前記画像表示領域での描画に対して前記指示体によって指示された位置の描画情報が取得され、取得された前記描画情報に基づいて前記パラメータ設定領域のパラメータが設定されることを特徴とする請求項１に記載の描画装置。
【請求項７】
前記センサと前記指示体とが電磁結合することで前記指示体が指示するセンサ上の位置が検出可能とされているとともに、前記センサは前記ディスプレイの前記画像表示領域を囲む所定の縁領域での前記指示体が指示する位置を検出可能とされており、前記制御回路は、前記指示体が指示する位置が前記所定の縁領域であることに対応して前記パラメータ設定領域と前記試し書き領域とを前記ディスプレイの前記画像表示領域での描画に重畳して表示させる制御を行うことを特徴とする請求項１に記載の描画装置。
【請求項８】
前記センサと前記指示体とが電磁結合することで前記指示体が指示するセンサ上の位置が検出可能とされているとともに前記指示体にはスイッチが設けられており、前記制御回路は、前記指示体に設けられたスイッチを操作しながら前記ディスプレイの前記画像表示領域に対して行われた所定の操作に対応して前記パラメータ設定領域と前記試し書き領域とを前記ディスプレイの前記画像表示領域での描画に重畳して表示させる制御を行うことを特徴とする請求項１に記載の描画装置。
【請求項９】
前記センサと前記指示体とが電磁結合することで前記指示体が指示するセンサ上の位置が検出可能とされているとともに、前記ディスプレイには操作ボタンが設けられており、前記制御回路は、前記ディスプレイに設けられた前記操作ボタンを操作しながら前記ディスプレイの前記画像表示領域に対して行われた前記指示体による所定の操作に対応して前記パラメータ設定領域と前記試し書き領域とを前記ディスプレイの前記画像表示領域での描画に重畳して表示させる制御を行うことを特徴とする請求項１に記載の描画装置。
【請求項１０】
前記センサは、前記指示体によるセンサ上の位置が静電容量の変化として検出可能とされているとともに前記指示体にはスイッチが設けられており、前記制御回路は、前記指示体に設けられたスイッチを操作しながら前記ディスプレイの前記画像表示領域に対して行われた所定の操作に対応して前記パラメータ設定領域と前記試し書き領域とを前記ディスプレイの前記画像表示領域での描画に重畳して表示させる制御を行うことを特徴とする請求項１に記載の描画装置。
【請求項１１】
前記センサは、前記指示体によるセンサ上の位置が静電容量の変化として検出可能とされているとともに前記ディスプレイには操作ボタンが設けられており、前記制御回路は、前記ディスプレイに設けられた前記操作ボタンを操作しながら前記ディスプレイの前記画像表示領域に対して行われた前記指示体による所定の操作に対応して前記パラメータ設定領域と前記試し書き領域とを前記ディスプレイの前記画像表示領域での描画に重畳して表示させる制御を行うことを特徴とする請求項１に記載の描画装置。
【請求項１２】
前記指示体は、第１の指示体と第２の指示体から構成されており、前記センサは、前記第１の指示体が指示する位置を検出可能な第１のセンサと前記第１のセンサとは異なった位置検出方式にて前記第２の指示体が指示する位置を検出可能な第２のセンサを備えており、前記第１の指示体によって前記描画操作を行うとともに、前記第２の指示体によって前記所定の指示操作を行うようにしたことを特徴とする請求項１に記載の描画装置。
【請求項１３】
前記第１のセンサは、前記第1の指示体と電磁結合することで前記第1の指示体が指示する前記第１のセンサ上の位置が検出可能とされており、前記第２のセンサは、前記第２の指示体による前記第２のセンサ上の位置が静電容量の変化として検出可能とされていることを特徴とする請求項１２に記載の描画装置。
【請求項１４】
前記第1の指示体はペンの形状を備えて位置を指示するものであり、前記第２の指示体は、ペンの形状を備えて位置を指示するものおよび指によって位置を指示するものの中の少なくとも１つであることを特徴とする請求項１２に記載の描画装置。
【請求項１５】
前記ディスプレイの前記画像表示領域での描画に重畳して表示された前記試し書き領域は、前記制御回路の制御によって前記第１の指示体と前記第２の指示体の中の少なくとも一方の指示体の操作に対応して前記ディスプレイの前記画像表示領域を移動可能とされていることを特徴とする請求項１２に記載の描画装置。
【請求項１６】
前記ディスプレイの前記画像表示領域での描画に重畳して表示された前記パラメータ設定領域と前記試し書き領域は、前記制御回路の制御によって前記第１の指示体と前記第２の指示体の中の少なくとも一方の指示体の操作に対応して互いの領域を分離及び結合可能とされていることを特徴とする請求項１５に記載の描画装置。
【請求項１７】
前記ディスプレイの前記画像表示領域での描画に重畳して表示された前記パラメータ設定領域と、前記パラメータ設定領域とは分離した状態にある前記試し書き領域とに対し、前記制御回路の制御によって前記第１の指示体と前記第２の指示体の中の少なくとも一方の指示体の操作に対応して、前記パラメータ設定領域と、前記パラメータ設定領域とは分離した状態にある前記試し書き領域との間の距離が所定の範囲内になったことに対応して前記試し書き領域が前記パラメータ設定領域に吸着するように移動することを特徴とする請求項１２に記載の描画装置。
【請求項１８】
前記制御回路は、前記センサによって前記指示体による前記指示操作が前記ディスプレイの前記画像表示領域で検出されたことに対応して、前記指示操作が検出された位置が前記試し書き領域に含まれるように、前記試し書き領域を前記ディスプレイの前記画像表示領域での描画に重畳して表示するようにしたことを特徴とする請求項１に記載の描画装置。
【請求項１９】
所定の画像表示領域を有するディスプレイと、前記ディスプレイの前記画像表示領域と所定の重畳関係にて配置されているとともに前記ディスプレイの前記画像表示領域に対応した指示体操作検出領域を有することで指示体の操作を検出するセンサと、前記センサによって検出された指示体による描画操作に基づいて生成される描画情報を記憶するメモリとを備える描画装置に、前記メモリに記憶された描画情報に基づいて前記ディスプレイの前記画像表示領域に描画を行う描画処理を実行させるコンピュータプログラムプロダクトであって、
前記センサによって前記指示体による所定の指示操作が検出されたことに対応して、前記指示体による前記描画操作が可能な試し書き領域と、前記試し書き領域での前記指示体による前記描画操作によって生成される描画情報に対するパラメータを変更するパラメータ設定領域とを、前記ディスプレイの前記画像表示領域での描画に重畳して表示させるとともに、
前記ディスプレイの前記画像表示領域に、前記試し書き領域を、視認可能に表示させると共に、前記ディスプレイの前記画像表示領域での前記描画に対して透過性を有して表示させるようにした
ことを特徴とするコンピュータプログラムプロダクト。
【発明の詳細な説明】
【技術分野】
【０００１】
この発明は、電子ペンなどの指示体により描画をする描画装置に関する。
【背景技術】
【０００２】
ペン型の位置指示器などの指示体によって指示される位置を位置検出回路で検出することで、指示体により描画された図形、文字などの画像を表示装置に表示すると共に、その表示画面に表示された描画画像を記憶するようにする描画装置が知られている。この種の描画装置では、指示体で入力して画像を描画する際のペンの太さや、描画する色（色相）、描画画像の明るさなどのパラメータについて設定を行うことで、種々の色、線の太さ、明るさなど、使用者（描画者）が希望する描画を行うことができる。そして、描画装置は、描画画像のデータと、設定されたパラメータとを対応付けて、描画情報として記憶する。  描画装置においては、このパラメータの設定は、描画途中においても行うことができる。
【０００３】
一方、印刷対象の画像データに対し画質調整を行うことができる画像データ出力装置が知られている。この例の画像データ出力装置では、大きな調整値設定領域が確保されて、入力された調整値に基づいて画像データに対する画質調整を行い、画像調整が施された調整効果確認画像を画面に表示させ、画質調整が施された印刷対象の画像データが印刷装置に出力される（特許文献１（特開２００８-２７３５２号公報）等参照）。
【先行技術文献】
【特許文献】
【０００４】
【特許文献１】特開２００８-２７３５２号公報
【発明の概要】
【発明が解決しようとする課題】
【０００５】
従来は、使用者は、パラメータ設定領域を画面の上端部あるいは左端部などに表示させておき、そのパラメータ設定領域においてマウスあるいは電子ペンなどによって設定されたパラメータによる描画の試し書きが描画途中にある描画画像に直接に重畳表示されて行われる。試し書きに不満足な場合には、試し書きした描画を消去し、パラメータを再設定して表示させるなどして試し書きを繰り返す。このような操作による試し書きにおいては、パラメータを設定して描画途中にある描画画像に描画を重畳表示させる作業が、使用者が満足するまで繰り返し行われる。パラメータ設定領域を画面の上端部あるいは左端部などに表示させておいてパラメータの設定を行う場合、描画画像のための表示領域を広く確保するためには、パラメータ設定領域の表示領域を大きく確保できない。ましてや、画面サイズが比較的小さい、バッテリで駆動される携帯用描画装置においては、十分な大きさのパラメータ設定領域を確保できない。
【０００６】
上記の特許文献１に記載の画像データ出力装置では、入力された調整値による画像の調整効果を確認することができるものの、調整値設定領域を大きく確保しているために、調整効果確認画像の表示領域を大きく確保することができない。しかも、調整効果を確認する対象は、印刷対象の画像データ全体である。すなわち、描画作業での電子ペンなどの指示体によって行われる手書き入力処理を対象とはしていない。
【０００７】
この発明は、以上の問題点を解決することができるようにした、電子ペンなどの指示体により描画を行う、描画装置を提供することを目的とする。
【課題を解決するための手段】
【０００８】
上記の課題を解決するために、請求項１の発明は、
所定の画像表示領域を有するディスプレイと、前記ディスプレイの前記画像表示領域と所定の重畳関係にて配置されているとともに前記ディスプレイの前記画像表示領域に対応した指示体操作検出領域を有することで指示体の操作を検出するセンサと、前記センサによって検出された指示体による描画操作に基づいて生成される描画情報を記憶するメモリと、前記メモリに記憶された描画情報に基づいて前記ディスプレイの前記画像表示領域に描画を行う制御回路を備えた描画装置であって、
前記制御回路は、前記センサによって前記指示体による所定の指示操作が検出されたことに対応して、前記指示体による前記描画操作が可能な試し書き領域と、前記試し書き領域での前記指示体による前記描画操作によって生成される描画情報に対するパラメータを変更するパラメータ設定領域とを、前記ディスプレイの前記画像表示領域での描画に重畳して表示させるとともに、
前記ディスプレイの前記画像表示領域に、前記試し書き領域を、視認可能に表示させると共に、前記ディスプレイの前記画像表示領域での前記描画に対して透過性を有して表示させるようにした
ことを特徴とする描画装置を提供する。
【０００９】
上述の構成の請求項１の発明による描画装置においては、描画途中にある、ディスプレイの画像表示領域での描画が試し書き領域を介して透過されて表示される。したがって、この試し書き領域において試し書きをすると、その試し書き時のパラメータによる描画情報が描画途中の描画に重畳表示される。よって、試し書き領域において、試し書きの描画情報と描画途中の描画とを互いに比較できるために、所望するパラメータを容易に設定することができる。
【００１０】
そして、請求項１の発明による描画装置においては、ディスプレイの画像表示領域に試し書き領域が視認可能に表示されるために、試し書き領域での指示体による描画情報と比較すべきディスプレイの画像表示領域での描画が明示的に範囲指定されることになる。よって、試し書き時の描画情報と描画途中の描画との比較を容易に行うことができる。
【発明の効果】
【００１１】
この発明によれば、試し書き領域において、試し書き時のパラメータによる試し書きの描画情報が描画途中の描画に重畳表示されるので、試し書きの描画画像と描画途中の描画画像とを互いに比較することができ、所望するパラメータを容易に設定することができる。
【図面の簡単な説明】
【００１２】
【図１】この発明による描画装置の実施形態の構成例を説明するための図である。
【図２】この発明による描画装置の実施形態を構成する第１のセンサ及び第１の位置検出回路の構成例を説明するための図である。
【図３】この発明による描画装置の実施形態を構成する第２のセンサ及び第２の位置検出回路の構成例を説明するための図である。
【図４】この発明による描画装置の実施形態の制御回路の構成例を示すブロック図である。
【図５】この発明による描画装置の実施形態の制御回路の処理動作例を説明するためのフローチャートの一部を示す図である。
【図６】この発明による描画装置の実施形態の制御回路の処理動作例を説明するためのフローチャートの一部を示す図である。
【図７】この発明による描画装置の実施形態の制御回路の処理動作例を説明するためのフローチャートの一部を示す図である。
【図８】この発明による描画装置の実施形態の制御回路の処理動作例を説明するために用いる表示画像の例を示す図である。
【図９】この発明による描画装置の実施形態の制御回路の処理動作例を説明するために用いる表示画像の例を示す図である。
【図１０】この発明による描画装置の実施形態の制御回路の処理動作例を説明するために用いる表示画像の例を示す図である。
【図１１】この発明による描画装置の実施形態において、パラメータ設定用メニューの表示要求操作の例を説明するために用いる図である。
【図１２】この発明による描画装置の実施形態において、パラメータ設定用メニューの表示要求操作の例を説明するために用いる図である。
【図１３】この発明による描画装置の実施形態において、パラメータ設定用メニューの表示要求操作の例を説明するために用いる図である。
【図１４】この発明による描画装置の実施形態において、パラメータ設定用メニューの表示要求操作の例を説明するために用いる図である。
【図１５】この発明による描画装置の実施形態の制御回路の処理動作例を説明するためのフローチャートの一部を示す図である。
【図１６】この発明による描画装置の実施形態の制御回路の処理動作例を説明するために用いる表示画像の例を示す図である。
【図１７】この発明による描画装置の実施形態の制御回路の処理動作例を説明するために用いる表示画像の例を示す図である。
【図１８】この発明による描画装置の実施形態において、パラメータ設定用メニューの表示要求操作の例を説明するために用いる図である。
【発明を実施するための形態】
【００１３】
以下、この発明による描画装置の実施形態を、図を参照しながら説明する。
【００１４】
図１は、この発明の実施形態の描画装置１０の構成例を示す分解構成図である。この図１の例の描画装置１０は、電磁結合方式と静電容量方式の２つ位置検出方式を搭載している。すなわち、電磁結合方式に関しては、電子ペンなどの位置指示器からなる指示体（以下、第１の指示体という）によって指示された位置が電磁結合方式の位置検出用のセンサ（以下、第１のセンサと称する）で検出される。一方、静電容量方式に関しては、表示デバイスの表示画面への指や静電ペン（導電性を有するペン型の位置指示器、あるいはバッテリで駆動される、いわゆるアクティブ静電ペン；以下総称して静電ペンという）などの指示体（以下、第２の指示体という）よって指示された位置が静電容量方式の位置検出用のセンサ（以下、第２のセンサと称する）で検出される。描画装置１０は、両センサで、同時に第１の指示体および第２の指示体による位置指示を検出することができる、バッテリで駆動可能な携帯型の端末である。
【００１５】
この例の描画装置１０は、図１に示すように、電磁結合方式の位置検出用の第１のセンサ２０と、表示デバイス３０と、静電容量方式の位置検出用の第２のセンサ４０と、制御回路基板５０と、平面部材６０と、筐体７０とで構成されている。
【００１６】
表示デバイス３０は、液晶ディスプレイや有機ＥＬディスプレイなどのフラットディスプレイからなり、ディスプレイ基板３１上に、表示画素３２が、Ｘ軸方向（横方向）に多数個配列されていると共に、Ｘ軸方向に直交するＹ軸方向（縦方向）にも多数個配列された表示画面３３を備えている。第１のセンサ２０は、この表示デバイス３０の表示画面３３の裏面側に、表示デバイス３０と重畳するように配置される。また、第２のセンサ４０は、この表示デバイス３０の表示画面３３の表面側において、表示デバイス３０の表示画面３３と重畳するように配置される。したがって、第１のセンサ２０と第２のセンサ４０も、重畳して配置される関係となっている。
【００１７】
そして、第１の指示体が指示する位置の検出が可能である第１のセンサ２０の実質的な指示体操作検出領域と、第２の指示体が指示する位置の検出が可能である第２のセンサ４０の実質的な指示体操作検出領域と、表示デバイス３０の表示画面３３の表示領域とが、この例では、ほぼ等しい大きさとされると共に、互いが重畳して配置される関係となっている。
【００１８】
図１では、図示を省略するが、第１のセンサ２０に対して電磁結合方式の位置検出回路（第１の位置検出回路）が接続され、第２のセンサ４０に対しては静電容量方式の位置検出回路（第２の位置検出回路）が接続される。これら、第１および第２の位置検出回路は、制御回路基板５０上に設けられており、制御回路基板５０と第１のセンサ２０および第２のセンサ４０とは、例えばフレキシブルケーブルにより接続される。制御回路基板５０には、描画装置１０における描画処理や描画に関する設定処理などの全体を制御するためのマイクロコンピュータからなる制御回路、表示デバイス３０の表示制御回路、その他の電子部品、銅箔配線パターンが搭載されている。
【００１９】
平面部材６０は、例えばガラスや樹脂などの透明材料からなり、その一方の面６０ａの側は、電子ペンからなる第１の指示体および指や静電ペンなどの第２の指示体による位置指示のための操作面とされている。そして、この平面部材６０の一方の面６０ａとは反対側の面の側には、第２のセンサ４０および表示デバイス３０が配置されている。
【００２０】
この例では、平面部材６０は、第１のセンサ２０および第２のセンサ４０の指示体の検出領域よりも若干大きい形状を有する。すなわち、図１の平面部材６０において、点線で囲んで示す領域６１は、第１のセンサ２０および第２のセンサ４０の指示体の検出領域に対応する領域であり、この領域６１の周囲には、縁領域６２が形成されている。図示は省略するが、平面部材６０は、縁領域６２に、例えばシルクスクリーン印刷などを施して、この縁領域６２を不透明状態にして、領域６１のみを透明状態に保持するように形成しても良い。
【００２１】
そして、この実施形態では、平面部材６０には、押釦６３が配設されている。この押釦６３は、電気的に制御回路基板５０に接続されており、前述した制御回路において、当該押釦６３の押下操作を検出することができるように構成されている。この押釦６３は、後述するように、パラメータ設定用メニューの表示要求ボタンとされている。
【００２２】
筐体７０は、例えば合成樹脂により構成されている。この筐体７０には、第１のセンサ２０、表示デバイス３０、第２のセンサ４０および制御回路基板５０を収納するための凹部７１が形成されている。この凹部７１内に、第１のセンサ２０、表示デバイス３０、第２のセンサ４０および制御回路基板５０が収納された後、平面部材６０の縁領域６２が筐体７０の枠領域７２に、例えば接着材によって、結合されることにより、凹部７１が閉塞されて、描画装置１０が組み立てられる。
【００２３】
次に、電磁結合方式の第１のセンサ２０およびその位置検出回路２００の構成例を、図２を参照して説明する。この例の第１のセンサ２０と共に使用する第１の指示体の例としての電子ペン２３は、共振回路を内蔵している。この共振回路は、コイル２３Ｌに並列に第１のコンデンサ２３Ｃ１が接続されると共に、コイル２３Ｌにさらに並列にスイッチ２４と第２のコンデンサ２３Ｃ２との直列回路が接続されて構成されている。スイッチ２４は、電子ペン２３の筐体の側周面から、当該スイッチ２４の押圧部が突出するように設けられて、使用者により押圧可能に取り付けられている。
【００２４】
このスイッチ（以下、サイドスイッチという）２４のオン・オフにより、第１のコンデンサ２３Ｃ１に対して第２のコンデンサ２３Ｃ２を接続するか否かを切り替えることにより、共振回路の共振周波数が切り替えられる。
【００２５】
すなわち、電子ペン２３は、サイドスイッチ２４のオン・オフに応じて、コイル２３Ｌに並列に接続されるコンデンサの静電容量が変更されることで、共振回路の共振周波数が変化する。位置検出回路２００では、電子ペン２３の共振回路の共振周波数の周波数偏移（位相）を検出することで、サイドスイッチ２４の操作状況を検出する。
【００２６】
第１のセンサ２０は、Ｘ軸方向ループコイル群２２Ｘが配線基板２１（図１参照）の一方の面に配置されると共に、Ｙ軸方向ループコイル群２２Ｙが、配線基板２１の他方の面に配置されて構成される。Ｘ軸方向ループコイル群２２ＸおよびＹ軸方向ループコイル群２２Ｙは、それぞれ複数本の矩形のループコイルからなっている。この例では、Ｘ軸方向にｎ本、Ｙ軸方向にｍ本のループコイルが配置されている。Ｘ軸方向ループコイル群２２ＸおよびＹ軸方向ループコイル群２２Ｙの各ループコイルは互いに重畳されて配置されている。
【００２７】
Ｘ軸方向ループコイル群２２Ｘを構成する各ループコイルは、電子ペン２３による位置指示を検出するための検出領域の横方向（Ｘ軸方向）に、等間隔に並んで順次重なり合うように配置されている。また、Ｙ軸方向ループコイル群２２Ｙを構成する各ループコイルは、検出領域の縦方向（Ｙ軸方向）に、等間隔に並んで順次重なり合うように配置されている。
【００２８】
この第１のセンサ２０に対して、位置検出回路２００が接続されている。位置検出回路２００には、Ｘ軸方向ループコイル群２２Ｘ及びＹ軸方向ループコイル群２２Ｙが接続される選択回路２０１が設けられている。この選択回路２０１は、２つのループコイル群２２Ｘ，２２Ｙのうちの一のループコイルを順次選択する。
【００２９】
さらに、位置検出回路２００には、発振器２０２と、電流ドライバ２０３と、切り替え接続回路２０４と、受信アンプ２０５と、検波器２０６と、低域フィルタ２０７と、サンプルホールド回路２０８と、Ａ／Ｄ変換回路２０９と、同期検波器２１１と、低域フィルタ２１２と、サンプルホールド回路２１３と、Ａ／Ｄ変換回路２１４と、処理制御回路２１０とが設けられている。処理制御回路２１０は、例えばマイクロコンピュータにより構成されている。
【００３０】
発振器２０２は、周波数ｆ０の交流信号を発生する。そして、発振器２０２で発生した交流信号は電流ドライバ２０３と同期検波器２１１に供給される。電流ドライバ２０３は、発振器２０２から供給された交流信号を電流に変換して切り替え接続回路２０４へ送出する。切り替え接続回路２０４は、処理制御回路２１０からの制御により、選択回路２０１によって選択されたループコイルが接続される接続先（送信側端子Ｔ、受信側端子Ｒ）を切り替える。この接続先のうち、送信側端子Ｔには電流ドライバ２０３が、受信側端子Ｒには受信アンプ２０５が、それぞれ接続されている。
【００３１】
選択回路２０１により選択されたループコイルに発生する誘導電圧は、選択回路２０１及び切り替え接続回路２０４を介して受信アンプ２０５に送られる。受信アンプ２０５は、ループコイルから供給された誘導電圧を増幅し、検波器２０６及び同期検波器２１１へ送出する。
【００３２】
検波器２０６は、ループコイルに発生した誘導電圧、すなわち受信信号を検波し、低域フィルタ２０７へ送出する。低域フィルタ２０７は、前述した周波数ｆ０より充分低い遮断周波数を有しており、検波器２０６の出力信号を直流信号に変換してサンプルホールド回路２０８へ送出する。サンプルホールド回路２０８は、低域フィルタ２０７の出力信号の所定のタイミング、具体的には受信期間中の所定のタイミングにおける電圧値を保持し、Ａ／Ｄ（Analog to Digital）変換回路２０９へ送出する。Ａ／Ｄ変換回路２０９は、サンプルホールド回路２０８のアナログ出力をデジタル信号に変換し、処理制御回路２１０に出力する。
【００３３】
一方、同期検波器２１１は、受信アンプ２０５の出力信号を発振器２０２からの交流信号で同期検波し、それらの間の位相差に応じたレベルの信号を低域フィルタ２１２に送出する。この低域フィルタ２１２は、周波数ｆ０より充分低い遮断周波数を有しており、同期検波器２１１の出力信号を直流信号に変換してサンプルホールド回路２１３に送出する。このサンプルホールド回路２１３は、低域フィルタ２１２の出力信号の所定のタイミングにおける電圧値を保持し、Ａ／Ｄ（Analog to Digital）変換回路２１４へ送出する。Ａ／Ｄ変換回路２１４は、サンプルホールド回路２１３のアナログ出力をデジタル信号に変換し、処理制御回路２１０に出力する。
【００３４】
処理制御回路２１０は、位置検出回路２００の各部を制御する。すなわち、処理制御回路２１０は、選択回路２０１におけるループコイルの選択、切り替え接続回路２０４の切り替え、サンプルホールド回路２０８、２１３のタイミングを制御する。処理制御回路２１０は、Ａ／Ｄ変換回路２０９、２１４からの入力信号に基づき、Ｘ軸方向ループコイル群２２Ｘ及びＹ軸方向ループコイル群２２Ｙから一定の送信継続時間をもって電磁誘導信号を送信させる。
【００３５】
Ｘ軸方向ループコイル群２２Ｘ及びＹ軸方向ループコイル群２２Ｙの各ループコイルには、電子ペン２３から送信される電磁誘導信号によって誘導電圧が発生する。処理制御回路２１０は、この各ループコイルに発生した誘導電圧の電圧値のレベルに基づいて電子ペン２３のＸ軸方向及びＹ軸方向の指示位置の座標値を算出する。また、処理制御回路２１０は、送信した電磁誘導信号と受信した電磁誘導信号との位相差に応じた信号のレベルに基づいて、サイドスイッチ２４が押下されたか否かを検出する。
【００３６】
このようにして、位置検出回路２００では、電子ペン２３による指示位置を処理制御回路２１０で検出することができる。しかも、位置検出回路２００の処理制御回路２１０は、受信した信号の位相（周波数偏移）を検出することにより、電子ペン２３においてサイドスイッチ２４がオンとされたか否かを検出することができる。処理制御回路２１０は、位置検出結果の座標出力及びサイドスイッチ２４がオンとされたか否かの検出出力を、描画装置１０における描画処理など、全体を制御する前述した制御回路に供給する。
【００３７】
次に、図３を参照して、第２のセンサ４０およびその位置検出回路４００の構成例を説明する。この第２のセンサ４０は、この例では、複数の指や静電ペンを同時に検出するマルチタッチを検出するために、クロスポイント静電容量方式のセンサの構成とされている。
【００３８】
第２のセンサ４０は、例えば透明基板４１の一面（表示デバイス３０の表示画面３３に対向する面とは反対側の面）に、光透過性を有する複数の電極からなる透明電極群が形成されて構成される。透明基板４１は、例えばガラス基板あるいは樹脂フィルム基板からなる。
【００３９】
透明電極群は、それぞれがＹ軸方向に形成された複数本の第１の透明電極４２Ｘと、それぞれがＹ軸方向に直交するＸ軸方向に形成された複数本の第２の透明電極４２Ｙとからなる。第１の透明電極４２Ｘは、Ｘ軸方向に、所定間隔ずつ隔てて配置されている。また、第２の透明電極４２Ｙは、Ｙ軸方向に、所定間隔ずつ隔てて配置されている。これら第１の透明電極４２Ｘおよび第２の透明電極４２Ｙは、光透過性の導電材料、例えばＩＴＯ（Indium  Tin  Oxide）膜からなる導体で構成されている。
【００４０】
そして、第１の透明電極４２Ｘと第２の透明電極４２Ｙとは、この例においては、透明基板４１の同じ一面側に形成されている。このため、互いに直交する第１の透明電極４２Ｘと第２の透明電極４２Ｙとの交差点であるクロスポイントの領域においては、第１の透明電極４２Ｘと第２の透明電極４２Ｙとの間に絶縁材が配置されることで互いが電気的に絶縁されている。
【００４１】
この第２のセンサ４０には、位置検出回路４００が接続されている。この位置検出回路４００は、送信信号発生回路４０１、送信電極選択回路４０２、送信信号増幅回路４０３、受信電極選択回路４０４、受信信号処理回路４０５、位置情報出力回路４０６、処理制御回路４１０を備えている。
【００４２】
位置検出回路４００は、処理制御回路４１０の制御に基づいて、所定の時間間隔、例えば１０ｍｓｅｃ毎に位置検出処理を離散的に実行することで、第２のセンサ４０上の第２の指示体による複数の位置指示を個々に検出し、それぞれの位置検出結果を得るようにする。
【００４３】
送信信号発生回路４０１および送信電極選択回路４０２は、送信信号供給回路を構成し、受信電極選択回路４０４および受信信号処理回路４０５は、信号受信回路を構成する。そして、この例では、第１の透明電極４２Ｘは、受信電極とされると共に、第２の透明電極４２Ｙは、送信電極とされている。
【００４４】
送信信号発生回路４０１は、処理制御回路４１０の制御に従った所定のタイミングで、所定の送信信号を送信電極選択回路４０２に供給する。所定の送信信号としては、例えば直交拡散符号などを用いることができる（例えば、特開２００３−２２１５８号公報参照）。
【００４５】
送信電極選択回路４０２は、処理制御回路４１０の選択制御にしたがって、所定の第２の透明電極４２Ｙを選択する。送信電極選択回路４０２によって選択された第２の透明電極４２Ｙには、送信信号発生回路４０１からの送信信号が、送信信号増幅回路４０３を通じて供給される。
【００４６】
受信電極選択回路４０４は、処理制御回路４１０の制御にしたがって、順次、第１の透明電極４２Ｘを選択し、選択した第１の透明電極４２Ｘからの受信信号を受信信号処理回路４０５に供給する。
【００４７】
受信信号処理回路４０５は、処理制御回路４１０による制御に基づいて、指や静電ペンなどの第２の指示体が第２のセンサ４０上で位置を指示することで生じる受信信号の信号変化を第１の透明電極４２Ｘで検出し、その検出出力を位置情報出力回路４０６に供給する。
【００４８】
位置情報出力回路４０６は、処理制御回路４１０による制御に基づいて、受信信号処理回路４０５の検出出力から、前記信号変化が生じた第１の透明電極４２Ｘと、そのときに送信信号が供給されている第２の透明電極４２Ｙとから、指または静電ペンなどの第２の指示体によって指示された位置に対応した指示位置検出信号である座標出力を位置検出結果として生成して処理制御回路４１０に出力する。
【００４９】
静電ペンは、図示は省略するが、電子ペン２３と同様にサイドスイッチを備える。そして、静電ペンは、使用者により当該サイドスイッチがオンとされた時に、そのことを示す情報を、無線送信する無線送信回路を備える。位置検出回路４００は、この静電ペンの無線送信回路からの送信信号を受信する無線受信回路４０７を備える。無線受信回路４０７は、静電ペンからの送信信号を監視して、静電ペンでサイドスイッチがオンとされたことを示す送信信号を検出したときには、その旨を示す情報を処理制御回路４１０に供給する。
【００５０】
処理制御回路４１０は、位置情報出力回路４０６からの位置検出結果の座標出力と、無線受信回路４０７からのサイドスイッチがオンとなっているか否かの情報を、描画装置１０における描画処理など、全体を制御する制御回路に供給する。
【００５１】
以上のようにして、この実施形態の描画装置１０は、電磁結合方式の第１のセンサ２０およびその位置検出回路２００を備えると共に、静電容量方式の第２のセンサ４０およびその位置検出回路４００を備え、第１の指示体（例えば電子ペン）と、第２の指示体（例えば指や静電ペン）とによる位置指示を同時に検出することが可能である。描画装置１０の制御回路は、これら第１の指示体による指示位置の検出結果と第２の指示体による指示位置の検出結果とに応じて、表示デバイス３０の表示画像を変更制御するなどの処理を行うと共に、第１の指示体や第２の指示体の移動操作（ジェスチャー操作）を検出し、その検出結果に応じた制御処理を実行する。
【００５２】
次に、図４は、この実施形態の描画装置１０において、制御回路基板５０に形成されている回路構成例を示す図である。
【００５３】
すなわち、図４に示すように、描画装置１０は、システムバス１００を通じて、制御回路１０１に対して、位置検出回路２００、位置検出回路４００、描画画像メモリ１０２、描画パラメータメモリ１０３、ボタン操作部１０４、のそれぞれと接続されている。前述したように、位置検出回路２００には、第１のセンサ２０が接続されており、また、位置検出回路４００には、第２のセンサ４０が接続されている。
【００５４】
描画画像メモリ１０２は、表示デバイス３０の表示画面において、第１の指示体、第２の指示体によって描画された画像、図形、文字などの描画画像情報を記憶するメモリであり、複数枚分の描画画像情報を格納することが可能である。描画画像メモリ１０２には、描画画像情報は、１枚の描画画像を複数のレイアに分けて格納することも可能とされている。描画画像情報は、この例では、ビットマップ形式のデータとされるが、ベクタ形式のデータであってもよい。
【００５５】
描画パラメータメモリ１０３は、描画画像メモリ１０２に記憶される描画画像情報の描画時に使用された各種パラメータを、描画画像情報に対応して記憶するメモリである。この例では、描画パラメータメモリ１０３は、パラメータを、描画画像の各画素ドット（ビット）に対応してそれぞれ記憶している。なお、描画情報は、描画画像情報とパラメータの情報とからなるが、描画画像情報とパラメータの情報とを、共通の１個の描画情報メモリに格納するようにしてもよい。
【００５６】
ボタン操作部１０４は、図１に示した押釦６３が押下された時に、当該押下操作がなされたことを示す操作情報を、システムバス１００に送出する。
【００５７】
制御回路１０１は、図示は省略するが、ＣＰＵ（Central  Processing  Unit）と、プログラムＲＯＭ（Read  Only  Memory）と、ワークエリアＲＡＭ（Random  Access  Memory）とを備えるマイクロコンピュータにより構成されている。そして、プログラムＲＯＭに記憶されているソフトウエアプログラムによる処理機能として、描画処理回路１１１、パラメータ設定用画像生成回路１１２、表示制御回路１１３、操作入力検出回路１１４などを備えている。これらの描画処理回路１１１、パラメータ設定用画像生成回路１１２、表示制御回路１１３、操作入力検出回路１１４の処理機能は、制御回路１０１を構成するＣＰＵが、対応するプログラムをプログラムＲＯＭから読み出し、ワークエリアＲＡＭを用いながら実行する。なお、表示制御回路１１３は、表示デバイス３０に接続されており、この表示デバイス３０の表示画面に表示する画像情報のバッファメモリ（ビデオＲＡＭ）を備える。
【００５８】
描画処理回路１１１は、第１のセンサ２０を通じた第１の指示体による描画操作や、第２のセンサ４０を通じて第２の指示体による描画操作を、それぞれ位置検出回路２００、位置検出回路４００を通じて受け付け、ワークエリアＲＡＭの一部である描画中パラメータバッファメモリに記憶されているパラメータを参照して、描画画像情報を生成する。描画中パラメータバッファメモリには、後述するようにして設定された、これから描画しようとする際に用いられる各種のパラメータが、第１の指示体及び第２の指示体のそれぞれに対応して記憶されている。
【００５９】
そして、描画処理回路１１１は、生成した描画画像情報を、表示制御回路１１３を通じて、表示デバイス３０の表示画面に表示する。この場合に、描画処理回路１１１は、位置検出回路２００、位置検出回路４００を通じて受け付けた描画操作の位置座標に対応する表示画面位置に、描画画像を表示するように表示制御回路１１３を制御する。
【００６０】
また、描画処理回路１１１は、生成した描画画像情報を、描画操作の位置座標に対応する表示画面位置となるように、描画画像メモリ１０２に記憶する。さらに、描画処理回路１１１は、描画画像メモリ１０２に記憶した描画画像情報に対応して、描画中パラメータバッファメモリに記憶されている各種パラメータを、当該描画画像を描画した際の各種パラメータとして描画パラメータメモリ１０３に記憶する。なお、描画画像情報がビットマップ形式である場合には、それぞれのビット単位について描画に使用されたパラメータが、描画パラメータメモリ１０３に記憶される。
【００６１】
パラメータ設定用画像生成回路１１２は、後述するパラメータ設定用画像を生成して、表示制御回路１１３を通じて、表示デバイス３０の表示画面に、描画画像に重畳して表示するようにする機能を備える。ここで、設定可能なパラメータとしては、
・ペンの太さ（Thickness）
・色相（Color）
・輝度（Brightness）
・ペン先形状（Brush）
・描画パターン（Hatching  Pattern）
・真円度（Roundness）
・透明度（Opacity）
・濃度（Density）
・硬度（Hardness）
・拡散度（Scattering）
・筆圧（Pressure）
・彩度（Saturation）
等とされている。以上のパラメータは例示であり、これに限られるものではないことは言うまでもない。
【００６２】
操作入力検出回路１１４は、第１のセンサ２０及び第２のセンサ４０を通じて入力される第１の指示体による指示入力操作及び第２の指示体による指示入力操作、さらにボタン操作部１０４からの操作情報を監視する。そして、操作入力検出回路１１４は、それぞれの指示入力操作やジスチャーなどの操作情報を解析して、描画操作がなされたのか、パラメータの変更設定用操作の入力がなされたのか、その他の操作入力がなされたのかを判別する機能を備える。そして、操作入力検出回路１１４は、指示入力操作が、描画操作であると判別したときには、その描画操作の情報を描画処理回路１１１に供給し、また、指示入力操作や操作情報が、パラメータの変更設定用操作であると判別したときには、そのパラメータの変更設定用操作の情報をパラメータ設定用画像生成回路１１２に供給する。
【００６３】
描画処理回路１１１は、操作入力検出回路１１４からの描画操作の情報に応じて、描画処理を実行する。また、パラメータ設定用画像生成回路１１２は、後述するように、操作入力検出回路１１４からのパラメータの変更設定用操作の情報に応じた処理を実行して、パラメータの変更処理等をする。
【００６４】
［描画装置１０における処理動作］
以上のような構成を有する描画装置１０における描画処理動作及び描画用のパラメータの変更動作について、以下に説明する。
【００６５】
図５及び図５の続きである図６、図７は、描画装置１０における描画処理動作及び描画用のパラメータの変更動作の一例のフローチャートである。この図５及び図６における各ステップの処理は、制御回路１０１の処理機能部である各回路１１１〜１１４が行うものであるが、ここでは、説明の簡単のため、制御回路１０１が各ステップの処理を実行するものとして説明する。
【００６６】
先ず、制御回路１０１は、位置検出回路２００からの指示体の検出出力を監視して、第１のセンサ２０において電子ペン２３による指示入力を検出したか否かを判別する（ステップＳ１）。このステップＳ１で、第１のセンサ２０において電子ペン２３による指示入力を検出したと判別したときには、制御回路１０１は、その電子ペン２３による指示入力がパラメータ設定用メニューの表示要求操作であるか否か判別する（ステップＳ２）。なお、電子ペン２３による指示入力のどのような操作が、パラメータ設定用メニューの表示要求操作であるかについては、後述する。
【００６７】
ステップＳ２で、電子ペン２３による指示入力がパラメータ設定用メニューの表示要求操作ではないと判別したときには、制御回路１０１は、当該検出された電子ペン２３による指示入力操作は、描画操作であると判断して、その描画操作に応じた前述の描画処理を実行する（ステップＳ３）。そして、このステップＳ３の終了後には、制御回路１０１は、処理をステップＳ１に戻す。
【００６８】
以上のステップＳ１〜Ｓ３が繰り返されることで、例えば図８に示すような描画画像ＰＡが生成され、表示デバイス３０の表示画面３３に表示される。また、描画画像ＰＡの描画画像情報が描画画像メモリ１０２に記憶されると共に、描画パラメータメモリ１０３に、その時の描画時のパラメータの設定値が、描画画像の表示画面位置（画素ドット単位）に対応して記憶される。
【００６９】
そして、ステップＳ２で、電子ペン２３による指示入力がパラメータ設定用メニューの表示要求操作であると判別したときには、制御回路１０１は、図９に示すように、パラメータ設定用メニュー８０の画像を生成して、描画画像ＰＡの一部に重畳して表示する（ステップＳ４）。
【００７０】
ここで、図９に示すように、パラメータ設定用メニュー８０は、各種のパラメータの設定項目の変更を受け付けるためのパラメータ設定領域８１と、試し書き領域８２と、パラメータ項目一覧バー８３とからなる。パラメータ項目一覧バー８３は、ペン種８３１、消しゴム８３２、色設定８３３などの複数個の項目を横一列に表示している。パラメータ設定領域８１は、パラメータ項目一覧バー８３に表示されている複数の項目のうちの選択された一つの項目のために用意されて表示される。図９の例においては、パラメータ項目一覧バー８３のパラメータ項目のうちのペン種８３１の項目が選択されたときのパラメータ設定領域８１が描画画像ＰＡ上に重畳表示されている。
【００７１】
パラメータ設定領域８１は、選択設定欄８１１と、詳細設定欄８１２とを備える。図９の例のペン種８３１の項目においては、パラメータ設定領域８１の選択設定欄８１１では、ペン先形状（Brush）及びペンの太さ（Thickness）の選択設定が可能であり、詳細設定欄８１２では、透明度（Opacity）、濃度（Density）、硬度（Hardness）、拡散度（Scattering）、筆圧（Pressure）のオン・オフなどが設定可能となっている。
【００７２】
そして、図９の例では、選択設定欄８１１では、電子ペン２３を用いて、ペン先形状及びペンの太さを選択指示することで、所望のペン先形状及びペンの太さに変更することができる。また、詳細設定欄８１２では、電子ペン２３のペン先を図９における白丸の部分に位置させて、スライド移動することにより、各パラメータを詳細設定することができる。
【００７３】
試し書き領域８２は、パラメータ設定領域８１と共に、描画画像ＰＡ上に重畳表示される。この場合に、試し書き領域８２は、本来は当該領域８２の重畳表示により隠されて視認できなくなる描画画像ＰＡの一部分を透過して視認することができるように形成されて、描画画像ＰＡ上に重畳表示されている。
【００７４】
図９の例では、試し書き領域８２は、矩形の領域からなるパラメータ設定領域８１の下方の一部領域に、重畳表示により隠されて視認できなくなる描画画像ＰＡを視認することができるように、矩形の透過窓の領域として形成されている。この場合に、図９に示すように、試し書き領域８２は、パラメータ設定領域８１の一部分を構成する不透明の枠８２Ｌに囲まれて矩形の透過窓の形態として表示されている。したがって、試し書き領域８２は、不透明の枠８２Ｌにより、領域範囲が明示的に視認可能とされている。
【００７５】
そして、使用者が、図９に示すように、この試し書き領域８２内に電子ペン２３を位置させて、描画操作をすると、描画処理回路１１１は、その描画操作を、描画画像ＰＡについての描画操作とはせずに、試し書きの描画操作と検出する。そして、描画処理回路１１１は、その試し書き描画操作に応じた試し書き描画画像ｐｔの画像情報を、バッファメモリに書き込むと共に、試し書き描画画像ｐｔを、描画画像ＰＡに重畳表示するようにする（後述のステップＳ８参照）。このときの電子ペン２３による描画操作による試し書き描画画像ｐｔは、パラメータ設定領域８１で設定されたパラメータが用いられてなされたものである。したがって、使用者は、試し書き領域８２に透過表示されている描画画像ＰＡと、試し書き画像ｐｔとを、直接的に比較参照することで、パラメータ設定領域８１で設定されたパラメータが適切なものかどうかを確認することができる。
【００７６】
図５のフローチャートの説明に戻る。ステップＳ４の次には、制御回路１０１は、第１のセンサ２０において、試し書き領域８２に対応する領域で電子ペン２３による描画操作を検出したか否か判別する（ステップＳ５）。
【００７７】
また、ステップＳ５で、試し書き領域８２に対応する領域で電子ペン２３による描画操作を検出してはいないと判別したときには、制御回路１０１は、第１のセンサ２０で、パラメータ設定領域８１において電子ペンによる指示操作を検出したか否か判別する（ステップＳ６）。
【００７８】
このステップＳ６で、第１のセンサ２０で、パラメータ設定領域８１において電子ペンによる指示操作を検出したと判別したときには、制御回路１０１は、電子ペン２３による指示操作によって変更されたパラメータを、描画中パラメータバッファメモリに記憶する（ステップＳ７）。そして、制御回路１０１は、このステップＳ７の次には、処理をステップＳ５に戻し、このステップＳ５以降の処理を繰り返す。
【００７９】
また、ステップＳ６で、第１のセンサ２０で、パラメータ設定領域８１において電子ペンによる指示操作を検出してはいないと判別したときには、制御回路１０１は、第１のセンサ２０において、パラメータ項目一覧バー８３に対応する領域で電子ペン２３による指示操作を検出したか否か判別する（図６のステップＳ１１）。
【００８０】
このステップＳ１１で、パラメータ項目一覧バー８３に対応する領域で電子ペン２３による指示操作を検出してはいないと判別したときには、制御回路１０１は、処理をステップＳ５に戻し、このステップＳ５以降の処理を繰り返す。
【００８１】
また、ステップＳ１１で、パラメータ項目一覧バー８３に対応する領域で電子ペン２３による指示操作を検出したときには、制御回路１０１は、パラメータ項目一覧バー８３において選択された項目に対応して用意されたパラメータ設定領域８１及び試し書き領域８２を表示画面３３に表示する（ステップＳ１２）。そして、制御回路１０１は、処理をステップＳ５に戻し、このステップＳ５以降の処理を繰り返す。
【００８２】
図１０は、ステップＳ１１及びステップＳ１２により、パラメータ項目一覧バー８３の中の色設定８３３の項目が選択されたときに表示されるパラメータ設定用メニュー８０の画像の例を示すものである。図１０の例においては、パラメータ設定領域８１の選択設定欄８１１では、色の選択設定が可能であり、詳細設定欄８１２では、選択された色の彩度（Saturation）や、輝度（Brightness）の詳細設定が可能となっている。
【００８３】
そして、この図１０の例においては、試し書き領域８２で電子ペン２３により試し書きをして、描画画像ＰＡと比較参照することで、パラメータ設定領域８１で選択した色について設定した彩度、輝度が、適切になっているかを容易に把握することができる。なお、この図１０の例においては、パラメータ設定領域８１の画像内容が、色設定８３３の項目に対応して変更される。
【００８４】
ステップＳ５で、試し書き領域８２に対応する領域で電子ペン２３による描画操作を検出したと判別したときには、制御回路１０１は、試し書き領域８２に、電子ペン２３による描画操作に応じた試し書き描画画像を、描画画像ＰＡに重畳表示する（ステップＳ８）。この時の描画中パラメータバッファメモリに記憶されているパラメータの情報は、ステップＳ７で、パラメータ設定領域８１において設定されたパラメータの設定値の情報となっている。つまり、試し書き領域８２で電子ペン２３によりなされる試し書き描画操作は、新たに設定されたパラメータを用いて行われる。したがって、使用者は、設定したパラメータが適切か否かを、試し書き領域８２において、透過して観視できる描画画像ＰＡと、当該描画画像ＰＡに重畳表示される試し書きの描画画像とを比較することで確認することができる。
【００８５】
次に、制御回路１０１は、パラメータ設定用メニュー８０の画像が表示されている領域以外の領域で、電子ペン２３によりタッチ操作（またはタップ操作）がなされたか否か判別する（ステップＳ９）。このステップＳ９で、パラメータ設定用メニュー８０の画像が表示されている領域以外の領域で、電子ペン２３によりタッチ操作（またはタップ操作）がなされてはいないと判別したときには、制御回路１０１は、処理をステップＳ５に戻し、このステップＳ５以降の処理を繰り返す。
【００８６】
また、ステップＳ９で、表示画面３３において、パラメータ設定用メニュー８０の画像が表示されている領域以外の領域で、電子ペン２３によりタッチ操作（またはタップ操作）がなされたと判別したときには、パラメータ設定領域８１と、試し書き領域８２と、パラメータ項目一覧バー８３とからなるパラメータ設定用メニュー８０の画像を、表示デバイス３０の表示画面３３から消去して、元の描画画像ＰＡのみの画像表示の状態に戻す（ステップＳ１０）。このステップＳ１０の次には、制御回路１０１は、処理をステップＳ１に戻し、このステップＳ１以降の処理を繰り返す。
【００８７】
すなわち、この実施形態では、使用者が、パラメータ設定用メニュー８０の画像が表示されている領域以外の表示画面３３の領域を、電子ペン２３により表示画面３３でタッチ操作（またはタップ操作）をすると、そのタッチ操作（またはタップ操作）は、パラメータ設定用メニュー８０の画像の消去指示操作として、操作入力検出回路１１４が検出し、その検出出力をパラメータ設定用画像生成回路１１２に供給する。パラメータ設定用画像生成回路１１２は、この消去指示操作の検出出力を受け取ると、パラメータ設定用メニュー８０の画像の描画画像ＰＡへの重畳表示を消去して、元の描画画像ＰＡのみが表示される状態に戻る。
【００８８】
なお、この時の描画中パラメータバッファメモリの情報は、パラメータ設定用メニュー８０が消去される直前に、パラメータ設定用メニュー８０において設定されていたパラメータの設定値の情報となる。したがって、その後の描画画像ＰＡについての描画は、パラメータ設定用メニュー８０において設定されていたパラメータによりなされる。
【００８９】
また、ステップＳ１で、第１のセンサ２０において電子ペン２３による指示入力操作を検出していないと判別したときには、制御回路１０１は、第２のセンサ４０において指による指示入力操作を検出したか否か判別する（図７のステップＳ２１）。なお、第２のセンサ４０においては、前述したように、静電ペンによる指示入力操作も検出できるが、ここでは、説明の便宜上、指のみを第２のセンサ４０についての指示体として説明するものである。
【００９０】
ステップＳ２１で、第２のセンサ４０において指による指示入力操作を検出したと判別したときには、制御回路１０１は、検出した指による指示入力操作が、パラメータ設定用メニューの表示要求操作であるか否か判別する（ステップＳ２２）。なお、指による指示入力のどのような操作が、パラメータ設定用メニューの表示要求操作であるか、については、後述する。
【００９１】
ステップＳ２２で、指による指示入力操作がパラメータ設定用メニューの表示要求操作ではないと判別したときには、制御回路１０１は、当該指による指示入力操作に対応した処理を実行する（ステップＳ２３）。そして、このステップＳ２３の終了後には、制御回路１０１は、処理をステップＳ１に戻す。
【００９２】
そして、ステップＳ２３で、指による指示入力操作がパラメータ設定用メニューの表示要求操作であると判別したときには、制御回路１０１は、処理をステップＳ４に進め、パラメータ設定用メニュー８０の画像を生成して、描画画像ＰＡの一部に重畳して表示し、前述したステップＳ４以降の処理を実行する。
【００９３】
また、ステップＳ２１で、第２のセンサ４０において指による指示入力操作を検出してはいないと判別したときには、制御回路１０１は、パラメータ設定用メニューの表示要求ボタンである押釦６３が押下操作されたか否か判別する（ステップＳ２４）。
【００９４】
ステップＳ２４で、押釦６３が押下操作されたと判別したときには、制御回路１０１は、処理をステップＳ４に進め、パラメータ設定用メニュー８０の画像を生成して、描画画像ＰＡの一部に重畳して表示し、前述したステップＳ４以降の処理を実行する。また、ステップＳ２４で、押釦６３が押下操作されていないと判別したときには、制御回路１０１は、処理をステップＳ１に戻し、このステップＳ１以降の処理を繰り返す。
【００９５】
なお、以上の動作において、ステップＳ１０でパラメータ設定用メニュー８０の画像を消去したときには、試し書き領域８２で電子ペン２３により試し書き描画した描画画像情報は、試し書き描画画像用バッファメモリから消去される。しかし、パラメータ設定用メニュー８０のパラメータ設定領域８１などに、試し書き描画反映ボタンなどを表示して、当該試し書き描画反映ボタンを電子ペン２３や指で操作したときには、試し書き描画した描画画像情報を、描画画像ＰＡに反映させるようにしてもよい。その場合には、試し書き描画画像用バッファメモリに一時記憶されていた描画画像情報が、描画画像メモリ１０２に書き込まれるものである。
【００９６】
また、上述のフローチャートにおいては、表示画面３３の、パラメータ設定用メニュー８０の画像の領域以外を電子ペン２３でタッチ操作あるいはタップ操作したときに、パラメータ設定用メニュー８０の画像を消去して、パラメータ設定のモードを終了させるようにしたが、パラメータ設定用メニュー８０の画像を消去して、パラメータ設定のモードを終了させるための操作は、これに限らないものであることは勿論である。例えば、パラメータ設定用メニュー８０の画像中に、終了ボタンを表示しておき、この終了ボタンを電子ペン２３や指でタッチ操作またはタップ操作することで、パラメータ設定用メニュー８０の画像を消去して、パラメータ設定のモードを終了させるようにしてもよいし、表示画面３３上での指や電子ペン２３による特定のジェスチャー操作が位置検出回路２００あるいは位置検出回路４００によってそれぞれ検出された場合には、このジェスチャー操作を終了指示操作とするようにしてもよい。
【００９７】
また、上述のフローチャートにおいては、パラメータ設定用メニュー８０で設定したパラメータは、その後の描画画像処理に必ず反映させるようにしたが、パラメータ設定用メニュー８０のパラメータ設定領域８１などに、設定パラメータの決定ボタンを表示させておき、当該決定ボタンをタッチ操作またはタップ操作したときにのみ、その後の描画画像処理に、設定されたパラメータを反映させるようにしてもよい。また、パラメータ設定用メニュー８０の画像を消去するときに、設定したパラメータを、その後の描画画像処理に反映させるか否かを問い合わせるメッセージを表示画面３３に表示させて、その問い合わせに対する使用者に応答操作に応じて、その後の描画画像処理に、設定されたパラメータを反映させるか否かを定めるようにしてもよい。
【００９８】
［パラメータ設定用メニューの表示要求操作の例］
ステップＳ２、ステップＳ２２で検出するパラメータ設定用メニューの表示要求操作の例について説明する。
【００９９】
＜第１の例＞
図１１は、パラメータ設定用メニューの表示要求操作の第１の例を説明するための図である。この第１の例では、描画装置１０の表示画面３３の上端部の中央部分に、パラメータ設定用メニュー８０の表示要求操作を受け付ける領域３４を設定しておく。そして、この領域３４を電子ペン２３でタッチ（またはタップ）する操作や、指でタッチ（またはタップ）する操作を、パラメータ設定用メニュー８０の表示要求操作とする。なお、図１１では、説明の都合上、パラメータ設定用メニュー８０のパラメータ項目一覧バー８３は省略してある。以下の例においても同様である。
【０１００】
この場合に、電子ペン２３は、主には描画操作用として用いられるので、描画操作との明確な区別をするために、この例では、特に、サイドスイッチ２４を押しながら領域３４を、電子ペン２３でタッチ（またはタップ）する操作を、パラメータ設定用メニューの表示要求操作とする。なお、制御回路１０１の操作入力検出回路１１４は、電子ペン２３あるいは指などの指示体によるこのパラメータ設定用メニューの表示要求操作を、位置検出回路２００や位置検出回路４００からの指示体検出出力を監視することで検出する。
【０１０１】
なお、領域３４は、使用者に明示的に示すために、図１１及び図８に示したように、所定の色によるバー表示を行うようにしておく。そして、その領域３４のバー表示には、パラメータ設定用メニューの表示要求を示すための文字を付記してもよい。
【０１０２】
なお、パラメータ設定用メニュー８０の表示要求操作を受け付ける領域３４は、表示画面３３の上端部中央に限られるものではなく、上端部左隅、右隅でもよいし、また、表示画面３３の左端部や右端部、あるいは下端部であってもよい。
【０１０３】
<第２の例＞
図１２及び図１３は、パラメータ設定用メニューの表示要求操作の第２の例を説明するための図である。この第２の例では、図１２に示すように、使用者が電子ペン２３を、パラメータ設定用メニュー８０の表示要求操作を受け付ける領域３４を横切るように、上から下に移動させるようにするジェスチャー操作を、パラメータ設定用メニュー８０の表示要求操作とする。この場合にも、使用者はサイドスイッチ２４を押下しながら、上から下に移動させるジェスチャー操作をすることで、描画操作との明示的な区別をできるようにしている。
【０１０４】
また、同様に、指で、パラメータ設定用メニュー８０の表示要求操作を受け付ける領域３４を横切るように、上から下に移動させるようにするジェスチャー操作を、パラメータ設定用メニュー８０の表示要求操作とする。
【０１０５】
第２の例では、制御回路１０１の操作入力検出回路１１４は、このパラメータ設定用メニューの表示要求操作のジェスチャーを、位置検出回路２００や位置検出回路４００からの指示体検出出力を監視することで検出する。
【０１０６】
なお、パラメータ設定用メニューの表示要求のジェスチャー操作は、領域３４を上から下に横切るジェスチャー操作に限られるものではなく、領域３４を下から上に横切るジェスチャー操作であってもよいし、領域３４が表示画面３３の左端部や右端部に設けられる場合には、左右に領域３４を横切るジェスチャー操作を、パラメータ設定用メニューの表示要求操作のジェスチャー操作としてもよい。
【０１０７】
なお、図１３に示すように、領域３４を設定せずに、単に、表示画面３３の表示領域外の縁領域６２から、表示領域内に移動するジェスチャー操作、あるいはその逆に、表示画面３３の表示領域内から、縁領域６２に移動するジェスチャー操作を、パラメータ設定用メニューの表示要求操作のジェスチャー操作とするようにしてもよい。なお、図１３では指によるジェスチャー操作を示しているが、指に代えて電子ペン２３によるジェスチャー操作でも適用可能であることは言うまでも無い。
【０１０８】
＜第３の例＞
図１４は、パラメータ設定用メニューの表示要求操作の第３の例を説明するための図である。この第３の例においては、押釦６３のみの押下はパラメータ設定用メニューの表示要求操作とはしていない。そして、第３の例においては、押釦６３を押下しながら、電子ペン２３で、表示画面３３の任意の位置をタッチ操作あるいはタップ操作する動作を、パラメータ設定用メニューの表示要求操作とする。
【０１０９】
この第３の例の場合には、押釦６３の操作を伴うことで、パラメータ設定用メニューの表示要求操作とする。
【０１１０】
そして、特に、この第３の例の場合には、図１４に示すように、描画画像ＰＡを透過させて表示させる試し書き領域８２の領域内に、電子ペン２３でタッチ操作あるいはタップ操作した位置が含まれるように、パラメータ設定用メニュー８０の画像が、表示画面３３に重畳表示されるようにする。
【０１１１】
さらに、この第３の例の場合には、描画画像ＰＡにおいて、電子ペン２３でタッチ操作あるいはタップ操作した位置の描画画像情報が取得されて、この取得された描画画像情報がパラメータ設定用メニュー８０での設定パラメータとなるように表示されるとともに、描画パラメータメモリ１０３にパラメータの設定値として記憶されるようにしている。
【０１１２】
この第３の例の場合には、図５に示したフローチャートにおけるステップＳ４の代わりに、図１５に示す２個のステップを行うように構成する。
【０１１３】
すなわち、この第３の例においては、図５のステップＳ２で、電子ペン２３による指示入力操作がパラメータ設定用メニューの表示要求操作であると判別したときには、制御回路１０１は、電子ペン２３によりタッチ操作またはタップ操作された位置が、試し書き領域８２に含まれるように、パラメータ設定領域８１、試し書き領域８２及びパラメータ項目一覧バー８３とを、描画画像ＰＡに重畳して表示する（図１５のステップＳ３１）。
【０１１４】
次に、制御回路１０１は、描画画像ＰＡの、電子ペン２３によりタッチ操作またはタップ操作された描画画像ＰＡの位置の描画画像情報に対応して記憶されているパラメータの設定値を描画パラメータメモリ１０３から読み出し、その読み出したパラメータの設定値が、パラメータ設定領域８１の各パラメータの設定値となるようにパラメータ設定領域８１を表示させると共に、描画中パラメータバッファメモリに、当該読み出したパラメータの設定値を記憶させる（ステップＳ３２）。このステップＳ３２の次には、制御回路１０１は、図５のステップＳ５以降の処理を行うようにする。
【０１１５】
この第３の例の場合には、使用者（描画者）は、描画の追加や変更をしたい描画画像ＰＡ中の画像部分を、押釦６３を押下しながら電子ペン２３でタッチ操作あるいはタップ操作することで、制御回路１０１は、そのタッチ操作あるいはタップ操作した描画画像ＰＡの画像部分の描画画像情報を取得する描画画像情報取得指示操作であると判別し、そのタッチ操作あるいはタップ操作した描画画像ＰＡの画像部分を、試し書き領域８２に透過表示させると共に、当該描画画像ＰＡの画像部分の描画画像情報を取得して、パラメータ設定することができて非常に便利である。
【０１１６】
＜その他の操作例＞
パラメータ設定用メニューの表示要求操作の例は、上述の第１の例〜第３の例に限られるものではない。例えば、電子ペン２３で、サイドスイッチ２４を押下しながら、表示画面３３に表示されている描画画像ＰＡの任意の位置で、ダブルタッチ（ダブルタップ）する操作や、指で描画画像ＰＡの任意の位置で、ダブルタッチ（ダブルタップ）する操作を、パラメータ設定用メニューの表示要求操作としてもよい。その場合には、第３の例と同様に、ダブルタッチ操作やダブルタップ操作した位置が、試し書き領域８２内になるようにすると共に、当該ダブルタッチ操作やダブルタップ操作した描画画像ＰＡの位置に対応して記憶されているパラメータに基づいて、パラメータの変更設定をすることができるようにしてもよい。
【０１１７】
また、ジェスチャー操作は、上下や左右の直線的な操作ではなく、電子ペン２３でサイドスイッチ２４を押下しながら、例えば「レ」の字を描くように、跳ね上げるジェスチャー操作や、指で同様の操作をするジェスチャー操作など、特有のジェスチャー操作を、パラメータ設定用メニューの表示要求操作としてもよい。
【０１１８】
パラメータ設定用メニューの表示要求操作用として、電子ペンや指による操作のジェスチャー操作を、描画装置１０に登録しておき、操作入力検出回路１１４で、当該登録されたジェスチャー操作を検出したら、パラメータ設定用メニューの表示要求操作と判定するようにしてもよい。その場合に登録するジェスチャー操作は、予め用意されている複数個のジェスチャー操作パターンの中から選択するようにしてもよいし、使用者が固有のジェスチャー操作を電子ペンや指による操作で実行して、描画装置に登録して用いるようにしてもよい。
【０１１９】
上述したように、この実施形態の描画装置においては、描画途中にある、ディスプレイの画像表示領域での描画が試し書き領域を介して透過されて表示される。このため、この試し書き領域において試し書きをすると、その試し書き時のパラメータによる描画情報が描画途中の描画に重畳表示される。よって、試し書き領域において、試し書きの描画情報と描画途中の描画とを互いに比較できるために、所望するパラメータを容易に設定することができる。
【０１２０】
しかも、指示体による描画操作が可能な試し書き領域と、試し書き領域での指示体による描画操作によって生成される描画情報に対するパラメータを変更するパラメータ設定領域とは、センサによって所定の指示操作が検出されたことに対応してディスプレイの画像表示領域での描画に重畳して表示されるために、ディスプレイの画像表示領域での描画を阻害することなく、必要なサイズのパラメータ設定領域を確保できる。
また、ディスプレイの画像表示領域での描画に対して、試し書き領域とパラメータ設定画面が重畳表示されることで、指示体による描画のためのパラメータ設定の状態にあることが容易に視認できる。
【０１２１】
更には、ディスプレイの画像表示領域に試し書き領域を視認可能に表示させるようにしているために、試し書き領域での指示体による描画情報と比較すべきディスプレイの画像表示領域での描画が明示的に範囲指定されることになり、試し書き時の描画情報と描画途中の描画との比較を容易に行うことができる。
【０１２２】
［その他の実施形態または変形例］
以上の実施形態の説明では、パラメータ設定用メニュー８０においては、試し書き領域８２は、不透明の枠で囲んで示して、その領域範囲を使用者が視認できるように表示した。しかしながら、試し書き領域８２の領域範囲を、使用者が視認することができるようにする表示方法としては、不透明の枠で囲む場合に限られるものではない。
【０１２３】
例えば、図１６に示すように、試し書き領域８２の周部の所定幅の枠状部分８２Ｌ´を、当該試し書き領域８２内の描画画像ＰＡを透過させて表示させる部分の透過性よりも低い透過性を備えるように表示制御することで、試し書き領域８２の領域範囲を、使用者が視認することができるようにしてもよい。この場合、試し書き領域８２の周部の所定幅の枠状部分８２Ｌ´は、描画画像ＰＡに当該枠状部分８２Ｌ´を、描画画像ＰＡが透けて見えるように、所定の透明度、例えば半透明の状態で重畳して表示するように制御するものである。
【０１２４】
表示画面３３において、描画画像ＰＡに重畳して表示したパラメータ設定用メニュー８０の画像は、指や電子ペン２３によりドラッグして移動させることができるようにしてもよい。また、パラメータ設定用メニュー８０の画像を移動させる代わりに、描画画像ＰＡを、移動させることができるようにしてもよい。
【０１２５】
また、パラメータ設定用メニュー８０の画像から、試し書き領域８２のみを分離して移動させることができるようにしてもよい。図１７は、試し書き領域８２のみを分離して移動させる場合を説明する図の例を示すもので、図１７の例では、試し書き領域８２内の任意の位置を指２５でタッチしてドラッグし、タッチしてドラッグしたまま試し書き領域８２のみをパラメータ設定用メニュー８０から分離して所望の描画画像ＰＡ上の位置に移動させた状態を示している。
【０１２６】
なお、分離して移動させた試し書き領域８２を、パラメータ設定用メニュー８０に再度接合するようにすることもできるが、その場合に、次のような処理をすることで、試し書き領域８２を、パラメータ設定用メニュー８０に容易に接合した状態に復帰させることができる。すなわち、使用者は、試し書き領域８２内の任意の位置を指２５でタッチしてドラッグし、タッチしてドラッグしたまま試し書き領域８２を、パラメータ設定用メニュー８０の元の位置の近傍まで移動させる。すると、パラメータ設定用画像生成回路１１２は、試し書き領域８２をパラメータ設定領域８１と接合した状態の元のパラメータ設定用メニュー８０の画像を生成して表示するようにする。すなわち、パラメータ設定用画像生成回路１１２は、試し書き領域８２が、パラメータ設定用メニュー８０の元の位置の近傍に移動したことを検出すると、元のパラメータ設定用メニュー８０の画像を生成して表示する。
【０１２７】
これにより、使用者が、試し書き領域８２を、パラメータ設定用メニュー８０の元の位置の近傍まで移動させると、試し書き領域８２がパラメータ設定用メニュー８０の元の位置に速やかに吸引されるように、試し書き領域８２がパラメータ設定領域８１に吸着して結合した状態で表示される。したがって、使用者は、試し書き領域８２を、パラメータ設定用メニュー８０に結合する元の状態に容易に復帰させることができる。
【０１２８】
以上のようにして、少なくとも試し書き領域８２は、描画画像ＰＡにおいて、描画の追加や変更をしたい場所に移動可能となる。したがって、当該描画の追加や変更をしたい場所において、描画のパラメータの設定変更を、元の描画画像ＰＡと比較参照しながら行うことができて、非常に便利である。
【０１２９】
なお、以上の説明においては、パラメータ設定用メニューの表示要求操作の検出の際には、縁領域６２から表示画面３３内に跨るジェスチャー操作も含めて、第１のセンサ２０あるいは第２のセンサ４０にて、表示画面３３の領域内で指示体の検出を行う必要がある。
【０１３０】
しかし、第１のセンサ２０あるいは第２のセンサ４０は、図１８において点線で示すように、表示デバイス３０の表示画面３３よりも広い指示体検出領域を備えることもできる。そこで、第１のセンサ２０あるいは第２のセンサ４０の指示体検出領域であって、表示デバイス３０の表示画面３３外の、描画装置１０における縁領域６２の一部の領域６４を、パラメータ設定用メニューの表示要求操作の検出領域とするようにすることもできる。
【０１３１】
図１８の例では、表示デバイス３０の表示画面３３の領域と表示デバイス３０の表示画面３３外の縁領域６２のそれぞれの領域は、第１のセンサ２０あるいは第２のセンサ４０によってそれぞれ位置検出可能とされており、縁領域６２の一部の領域６４もまた特定可能とされている。この領域６４を明示的に使用者に報知するために、例えば所定の色などにより塗り潰して印刷表示するようにしている。したがって、例えば使用者が電子ペン２３でこの領域６４をタッチあるいはタップする操作を、パラメータ設定用メニューの表示要求操作とすることができる。第２のセンサ４０についての指の操作の場合も同様とすることができる。
【０１３２】
なお、上述の実施形態の描画装置１０においては、表示デバイス３０を挟んで、表示デバイス３０の表側及び裏側に、第１のセンサ２０と第２のセンサ４０をそれぞれ配設するようにした。しかし、表示デバイス３０の表面側（表示画面３３側）に、第１のセンサ２０及び第２のセンサ４０を配設するようにすることもできる。
【０１３３】
また、ＬＣＤ（液晶ディスプレイ）など、表示デバイス３０がグリッド状に配置された電極を用いて表示制御される構成を備える場合には、第２のセンサ４０としての静電容量方式の位置検出用のセンサを、このグリッド状に配置された電極に組み込んだ構成として用いることもできる。
【０１３４】
なお、上述の実施形態の描画装置では、第１のセンサとして電磁結合方式の位置検出センサを用い、第２のセンサとして静電容量方式の位置検出センサを用いるようにしたが、第１及び第２のセンサとしては、それらの組み合わせに限られるものではないことは明らかである。また、上述の実施形態の描画装置では、第１のセンサと第２のセンサとの２個のセンサを用いるようにしたが、複数の位置検出方式を１個のセンサで実現してもよい。
【０１３５】
なお、上述の実施形態では、描画画像ＰＡは、描画装置１０で描画して生成した画像としたが、既存の画像や写真などを取り込んで、それを描画画像ＰＡとし、その描画画像ＰＡに重畳して画像を描画する場合にも、この発明は適用可能である。
【符号の説明】
【０１３６】
１０…描画装置、２０…第１のセンサ、３０…表示デバイス、４０…第２のセンサ、５０…制御回路基板、６０…平面部材、１０１…制御回路、１０２…描画画像メモリ、１０３…設定パラメータメモリ、１１１…描画処理回路、１１２…パラメータ設定用画像生成回路、１１３…表示制御回路、１１４…操作入力検出回路、２００…第１のセンサ用の位置検出回路、４００…第２のセンサ用の位置検出回路
【図１】
2015038718.tif 000003
【図２】
2015038718.tif 000004
【図３】
2015038718.tif 000005
【図４】
2015038718.tif 000006
【図５】
2015038718.tif 000007
【図６】
2015038718.tif 000008
【図７】
2015038718.tif 000009
【図８】
2015038718.tif 000010
【図９】
2015038718.tif 000011
【図１０】
2015038718.tif 000012
【図１１】
2015038718.tif 000013
【図１２】
2015038718.tif 000014
【図１３】
2015038718.tif 000015
【図１４】
2015038718.tif 000016
【図１５】
2015038718.tif 000017
【図１６】
2015038718.tif 000018
【図１７】
2015038718.tif 000019
【図１８】
2015038718.tif 000020